【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
複数の可変表示部において各々を識別可能な複数種類の識別情報の可変表示を開始させた後に時期を異ならせて導出表示させる可変表示装置を備え、前記複数の可変表示部に導出表示される識別情報の組合せが予め定められた特定の識別情報の組合せとなったときに遊技者にとって有利な特定遊技状態に制御する遊技機であって、
遊技状態を制御する遊技制御手段と、
前記可変表示装置を表示制御する表示制御手段とを備え、
前記遊技制御手段は、
前記複数の可変表示部に導出表示される識別情報の組合せを前記特定の識別情報の組合せとするか否かを決定するための数値情報を抽出する第１数値情報抽出手段と、
前記複数の可変表示部において識別情報の可変表示が開始されてから全ての可変表示部において識別情報が導出表示されるまでの可変表示時間を決定するための数値情報を抽出する第２数値情報抽出手段と、
前記表示結果決定手段により前記特定の識別情報の組合せとしないことが決定されたときに、前記複数の可変表示部のうちの一部が未だに識別情報を導出表示していない段階で既に識別情報を導出表示している可変表示部の識別情報が特定の識別情報の組合せとなる条件を満たすリーチを成立させるか否かを決定するための数値情報を抽出する第３数値情報抽出手段と、
前記第１数値情報抽出手段によって抽出された数値情報を用いて前記複数の可変表示部に導出表示される識別情報の組合せを前記特定の識別情報の組合せとするか否かを決定する表示結果決定手段と、
前記第２数値情報抽出手段によって抽出された数値情報を用いて前記可変表示時間を決定する可変表示時間決定手段と、
前記表示結果決定手段により前記特定の識別情報の組合せとしないことが決定されたときに前記第３数値情報抽出手段によって抽出された数値情報を用いて前記リーチを成立させるか否かを決定し、前記表示結果決定手段により前記特定の識別情報の組合せとすることが決定されたときに前記リーチを成立させる決定をするリーチ決定手段と、
前記表示結果決定手段の決定結果を特定可能な表示結果コマンドを含む複数種類のコマンドを出力するコマンド出力手段とを含み、
前記表示制御手段は、
前記複数種類のコマンドを入力するコマンド入力手段と、
前記表示結果決定手段により前記特定の識別情報の組合せとすることが決定されたときに、前記可変表示中において当該決定がされたことの予告を実行するか否かを決定する予告決定手段と、
前記表示結果決定手段により前記特定の識別情報の組合せとしないことが決定されたときに、前記可変表示中において前記予告を実行することを所定の割合で決定する偽予告決定手段と、
前記識別情報とは異なる所定動画像を用いて前記予告を実行するための予告表示態様として、
所定の第１表示パターンの後に該第１表示パターンとは異なる第２表示パターンに移行して、その後に終了する第１予告表示態様と、
前記第１表示パターンの後に前記第１および前記第２表示パターンとは異なる第３表示パターンに移行して、その後に終了する第２予告表示態様と、
前記第１表示パターンの後に前記第２表示パターンに移行し、当該第２表示パターンの後に前記第１〜前記第３表示パターンとは異なる第４表示パターンに移行して、その後に終了する第３予告表示態様と、
の少なくとも３種類の予告表示態様を規定したデータを記憶する予告表示態様記憶手段と、
前記予告決定手段または前記偽予告決定手段によって前記予告を実行することが決定されたときに、前記予告表示態様記憶手段に記憶されているデータによって規定された予告表示態様のうちから前記予告に用いる予告表示態様を選択する予告表示態様選択手段と、
前記可変表示ゲームにおいて、前記複数の可変表示部において識別情報の可変表示を開始させ、前記複数の可変表示部のいずれの識別情報も導出表示されていない段階で前記予告表示態様選択手段の選択に従って前記予告を実行した後、時期を異ならせて前記各可変表示部において識別情報を導出表示させて前記可変表示時間決定手段の決定に基づいた可変表示時間経過後に前記表示結果決定手段の決定に従う識別情報の組合せを前記複数の可変表示部に導出表示する制御を行う可変表示制御手段とを含み、
前記第１〜前記第３予告表示態様を比較すると、先頭から前記第１表示パターンまでについては、前記第１〜前記第３予告表示態様は同一であり、それより後については、前記第１予告表示態様と前記第２予告表示態様とで異なる一方、前記第３予告表示態様は、前記第１予告表示態様の最後まで同一であり、
前記予告表示態様選択手段は、
前記予告決定手段によって前記予告を実行することが決定されたとき、前記第１予告表示態様よりも前記第２予告表示態様を、さらに前記第２予告表示態様よりも前記第３予告表示態様を高い割合で選択する一方、
前記偽予告決定手段によって前記予告を実行することが決定されたとき、前記第３予告表示態様よりも前記第２予告表示態様を、さらに前記第２予告表示態様よりも前記第１予告表示態様を高い割合で選択することを特徴とする、遊技機。
【手続補正２】
【補正対象書類名】明細書
【補正対象項目名】０００６
【補正方法】変更
【補正の内容】
【０００６】
（１）  複数の可変表示部において各々を識別可能な複数種類の識別情報の可変表示を開始させた後に時期を異ならせて導出表示させる可変表示装置（可変表示装置８）を備え、前記複数の可変表示部に導出表示される識別情報の組合せが予め定められた特定の識別情報の組合せ（たとえば「７７７」等のゾロ目）となったときに遊技者にとって有利な特定遊技状態（大当り状態）に制御する遊技機（パチンコ遊技機１）であって、
遊技状態を制御する遊技制御手段と、
前記可変表示装置を表示制御する表示制御手段とを備え、
前記遊技制御手段は、
前記複数の可変表示部に導出表示される識別情報の組合せを前記特定の識別情報の組合せとするか否かを決定するための数値情報を抽出する第１数値情報抽出手段と、
前記複数の可変表示部において識別情報の可変表示が開始されてから全ての可変表示部において識別情報が導出表示されるまでの可変表示時間を決定するための数値情報を抽出する第２数値情報抽出手段と、
前記表示結果決定手段により前記特定の識別情報の組合せとしないことが決定されたときに、前記複数の可変表示部のうちの一部が未だに識別情報を導出表示していない段階で既に識別情報を導出表示している可変表示部の識別情報が特定の識別情報の組合せとなる条件を満たすリーチを成立させるか否かを決定するための数値情報を抽出する第３数値情報抽出手段と、
前記第１数値情報抽出手段によって抽出された数値情報を用いて前記複数の可変表示部に導出表示される識別情報の組合せを前記特定の識別情報の組合せとするか否かを決定する表示結果決定手段（遊技制御用マイクロコンピュータ５３、図１４のＳ５５）と、
前記第２数値情報抽出手段によって抽出された数値情報を用いて前記可変表示時間を決定する可変表示時間決定手段と、
前記表示結果決定手段により前記特定の識別情報の組合せとしないことが決定されたときに前記第３数値情報抽出手段によって抽出された数値情報を用いて前記リーチを成立させるか否かを決定し、前記表示結果決定手段により前記特定の識別情報の組合せとすることが決定されたときに前記リーチを成立させる決定をするリーチ決定手段と、
前記表示結果決定手段の決定結果を特定可能な表示結果コマンドを含む複数種類のコマンドを出力するコマンド出力手段とを含み、
前記表示制御手段は、
前記複数種類のコマンドを入力するコマンド入力手段と、
前記表示結果決定手段により前記特定の識別情報の組合せとすることが決定されたときに、前記可変表示中において当該決定がされたことの予告を実行するか否かを決定する予告決定手段（表示制御用マイクロコンピュータ８１、図２８のＳｕｂ５５）と、
前記表示結果決定手段により前記特定の識別情報の組合せとしないことが決定されたときに、前記可変表示中において前記予告を実行することを所定の割合で決定する偽予告決定手段と、
前記識別情報とは異なる所定動画像を用いて前記予告を実行するための予告表示態様として、
所定の第１表示パターンの後に該第１表示パターンとは異なる第２表示パターンに移行して、その後に終了する第１予告表示態様（図４の（Ａ−２）〜（Ａ−４）、図７）と、
前記第１表示パターンの後に前記第１および前記第２表示パターンとは異なる第３表示パターンに移行して、その後に終了する第２予告表示態様（図５（Ｂ−２）〜（Ｂ−４）、図７）と、
前記第１表示パターンの後に前記第２表示パターンに移行し、当該第２表示パターンの後に前記第１〜前記第３表示パターンとは異なる第４表示パターンに移行して、その後に終了する第３予告表示態様（図６の（Ｃ−２）〜（Ｃ−６）、図７）と、
の少なくとも３種類の予告表示態様を規定したデータを記憶する予告表示態様記憶手段（キャラクターＲＯＭ８６）と、
前記予告決定手段または前記偽予告決定手段によって前記予告を実行することが決定されたとき（図２８のＳｕｂ５５でＹｅｓの判断がなされたとき）に、前記予告表示態様記憶手段に記憶されているデータによって規定された予告表示態様のうちから前記予告に用いる予告表示態様を選択する予告表示態様選択手段（表示制御用マイクロコンピュータ８１、図２８のＳｕｂ５２，Ｓｕｂ５３，Ｓｕｂ５６，Ｓｕｂ５７）と、
前記可変表示ゲームにおいて、前記複数の可変表示部において識別情報の可変表示を開始させ、前記複数の可変表示部のいずれの識別情報も導出表示されていない段階で前記予告表示態様選択手段の選択に従って前記予告を実行した後、時期を異ならせて前記各可変表示部において識別情報を導出表示させて前記可変表示時間決定手段の決定に基づいた可変表示時間経過後に前記表示結果決定手段の決定に従う識別情報の組合せを前記複数の可変表示部に導出表示する制御を行う可変表示制御手段（表示制御用マイクロコンピュータ８１、図２９、図３０、図３１）とを含み、
前記第１〜前記第３予告表示態様を比較すると、先頭から前記第１表示パターンまでについては、前記第１〜前記第３予告表示態様は同一であり、それより後については、前記第１予告表示態様と前記第２予告表示態様とで異なる一方、前記第３予告表示態様は、前記第１予告表示態様の最後まで同一であり、
前記予告表示態様選択手段は、
前記予告決定手段によって前記予告を実行することが決定されたとき、前記第１予告表示態様よりも前記第２予告表示態様を、さらに前記第２予告表示態様よりも前記第３予告表示態様を高い割合で選択する一方、
前記偽予告決定手段によって前記予告を実行することが決定されたとき、前記第３予告表示態様よりも前記第２予告表示態様を、さらに前記第２予告表示態様よりも前記第１予告表示態様を高い割合で選択する。
【手続補正３】
【補正対象書類名】明細書
【補正対象項目名】０００７
【補正方法】変更
【補正の内容】
【０００７】
このような構成によれば、第２あるいは第３予告表示態様を用いて演出が実行されたときは、第１予告表示態様を用いて演出が実行されたときよりも前記複数の可変表示部に導出表示される識別情報の組合せが特定の識別情報の組合せとなりやすいので、第２あるいは第３予告表示態様を用いて予告が実行されることにより、特定の識別情報の組合せに対する遊技者の期待感を向上させることができる。また、第２および第３予告表示態様は、先頭の第１表示パターンが第１予告表示態様と同一であるため、予告が実行されてから所定の時間が経過するまでは、いずれの予告表示態様によって予告が実行されているかが分からず、遊技者の期待感を持続させることができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】０１１０
【補正方法】変更
【補正の内容】
【０１１０】
一方、Ｒ１（大当り決定用）より抽出されたカウント値がはずれに該当すると事前決定されたときは、「はずれ用」の分類決定テーブルが用いられる。「はずれ用」の分類決定テーブルでは、１００個の判定値のうち２０個が第２あるいは第３演出表示用動画像を選択する判定値として定められており、はずれになることが事前決定されているときは、第２あるいは第３演出表示用動画像を用いた演出が実行されにくくなっている。
【手続補正１１】
【補正対象書類名】明細書
【補正対象項目名】０１１３
【補正方法】変更
【補正の内容】
【０１１３】
一方、Ｒ１（大当り決定用）より抽出されたカウント値がはずれに該当すると事前決定されたときは、「はずれ用」の演出表示用動画像決定テーブルが用いられる。「はずれ用」の演出表示用動画像決定テーブルでは、１００個の判定値のうち３０個が第３演出表示用動画像を選択する判定値として定められており、はずれになることが事前決定されているときは、第３演出表示用動画像を用いた演出が実行されにくくなっている。